(57)【特許請求の範囲】
【請求項１】
第１チャネルに含まれるデータについてビタビアルゴリズムを実行してトレリス線図上の第１時点に存在する状態のステートメトリックを出力し、第２チャネルに含まれるデータについてビタビアルゴリズムを実行してトレリス線図上の第２時点に存在する状態のステートメトリックを出力する復号器と、
前記第１および第２時点のそれぞれに存在するトレースバックを開始すべき一の状態のそれぞれのステートメトリックと前記第１および第２時点のそれぞれに存在する他の状態のそれぞれのステートメトリックの相対関係である第１および第２相対関係を出力する算出部と、
前記第１および第２相対関係に基づき、前記第１および第２チャネルの内の一を選択すべきチャネルであると判定する判定部と、
を備えることを特徴とする受信装置。
【請求項２】
前記第１相対関係は、前記第１時点に存在するトレースバックを開始すべき一の状態のステートメトリックが前記第１時点に存在する各状態の各ステートメトリックの中で何番目に尤度が高いステートメトリックであるかを示す第１可能性順位であることを特徴とする請求項１に記載の受信装置。
【請求項３】
前記第２相対関係は、前記第２時点に存在するトレースバックを開始すべき一の状態のステートメトリックが前記第２時点に存在する各状態の各ステートメトリックの中で何番目に尤度が高いステートメトリックであるかを示す第２可能性順位であり、
前記判定部は、前記第１可能性順位と前記第２可能性順位の比較結果に基づき前記第１および第２チャネルの内の一を選択すべきチャネルであると判定することを特徴とする請求項２に記載の受信装置。
【請求項４】
前記判定部は、前記第１可能性順位と前記第２可能性順位を比較した結果、前記第１可能性順位が前記第２可能性順位より上である場合は前記第１チャネルを選択すべきチャネルであると判定することを特徴とする請求項３に記載の受信装置。
【請求項５】
前記第１および第２時点のそれぞれに存在するトレースバックを開始すべき一の状態のそれぞれは、トレリス線図上の状態零であることを特徴とする請求項４に記載の受信装置。
【請求項６】
前記状態零は、データ送信側の符号化器が有する遅延素子のすべてに０が入力されることに基づき、前記第１および第２時点のそれぞれに存在するトレースバックを開始すべき一の状態となることを特徴とする請求項５に記載の受信装置。
【請求項７】
前記判定部は、前記第１および第２可能性順位が所定の閾値より上の順位であるか否かを判定する候補チャネル選出部をさらに備え、
前記判定部は前記候補チャネル選出部の前記判定結果に基づき前記第１および第２チャネルの内の一を選択すべきチャネルであると判定することを特徴とする請求項３に記載の受信装置。
【請求項８】
前記判定部は、前記候補チャネル選出部の前記判定の結果が前記第１および第２可能性順位のそれぞれが前記所定の閾値より下の順位であることを示す場合、前記第１可能性順位と前記第２可能性順位の内の順位が高いものに対応するチャネルを選択すべきチャネルであると判定することを特徴とする請求項７に記載の受信装置。
【請求項９】
前記判定部は、前記候補チャネル選出部の前記判定の結果が前記第１および第２可能性順位のそれぞれの内の一方が前記所定の閾値より上の順位であることを示す場合、前記一方に対応するチャネルを選択すべきチャネルであると判定することを特徴とする請求項７に記載の受信装置。
【請求項１０】
前記第１チャネルに含まれたデータのそれぞれの絶対値の部分和または総和と、前記第２チャネルに含まれたデータのそれぞれの絶対値の部分和または総和を算出する受信強度取得部をさらに備えるとともに、
前記復号器は、前記第１および第２時点に存在するトレースバックを開始すべき一の状態のそれぞれについての第１および第２最小パスメトリック差をさらに算出し、
前記判定部は、前記第１および第２最小パスメトリック差のそれぞれを、前記第１チャネルについての前記部分和または前記総和および前記第２チャネルについての前記部分和または前記総和のそれぞれで正規化する正規化部をさらに備えると共に、前記候補チャネル選出部の前記判定の結果が前記第１および第２可能性順位のそれぞれが前記所定の閾値より上の順位であることを示す場合、正規化された前記第１および第２最小パスメトリック差に基づき前記第１および第２チャネルの内の一を選択すべきチャネルであると判定することを特徴とする請求項７に記載の受信装置。
【請求項１１】
前記判定部は、正規化された前記第１および第２最小パスメトリック差の内、大きい値を有するものに対応するチャネルを選択すべきチャネルであると判定することを特徴とする請求項１０に記載の受信装置。
【発明の詳細な説明】
【技術分野】
【０００１】
本発明は、受信した複数の制御チャネルから自局宛の制御チャネルを検出する技術に関する。
【背景技術】
【０００２】
無線通信の分野において、基地局が制御チャネルのデータとデータチャネルのデータを送信し、ユーザ端末が制御チャネルのデータから制御情報を取得し、該制御情報に基づいてデータチャネルのデータの受信や復号を行う通信方式が用いられている。
【０００３】
例えば、３ＧＰＰ（３ｒｄ  Ｇｅｎｅｒａｔｉｏｎ  Ｐａｒｔｎｅｒｓｈｉｐ  Ｐｒｏｊｅｃｔ）の仕様に基づくＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式では、制御チャネルとデータチャネルとして、ＨＳ−ＳＣＣＨ（Ｈｉｇｈ  Ｓｐｅｅｄ−Ｓｈａｒｅｄ  Ｃｏｎｔｒｏｌ  Ｃｈａｎｎｅｌ）とＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）が規定されている。ＨＳ−ＳＣＣＨには、ＨＳ−ＰＤＳＣＨに関する情報が格納されており、ユーザ端末は、ＨＳ−ＳＣＣＨからこれらの情報を取得して、ＨＳ−ＰＤＳＣＨの受信と復号に用いる（特許文献１参照）。
【０００４】
図１２は、送信側におけるＨＳ−ＳＣＣＨフレームの生成を示す模式図である。ＨＳ−ＳＣＣＨフレームは、ＰＡＲＴ１とＰＡＲＴ２と呼ばれる２つの部分から構成され、ＰＡＲＴ１とＰＡＲＴ２が別々に符号化されている。まず、ＰＡＲＴ１について説明する。
【０００５】
図１２に示すように、ステップＳ１０の多重化処理（ＭＵＸ）により得られた８ビットの情報ビット列Ｘ１は、符号化率１／３で畳込符号化されて４８ビットのビット列Ｚ１となる（Ｓ１２）。ビット列Ｚ１は、データレート調整のために特定のビットを取り除くパンクチャ処理が施されて４０ビットのビット列Ｒ１になる（Ｓ１４）。ビット列Ｒ１は、Ｘｕｅとの排他的論理和によりマスキングされてビット列Ｓ１になる（Ｓ１６）。なお、Ｘｕｅは、送信先のユーザ端末（以下ＵＥという）に付与された１６ビットのＩＤ（ＵＥＩＤ）に対して符号化率１／２で畳込符号化したものにさらにパンクチャ処理を施して得た４０ビットのビット列である。ＵＥＩＤは、ＵＥ毎に異なる。
【０００６】
このようにして得られたビット列Ｓ１は、ＨＳ−ＳＣＣＨフレームのＰＡＲＴ１を構成し、ＨＳ−ＰＤＳＣＨを受信するための情報が含まれている。
【０００７】
ＰＡＲＴ２について、ステップＳ２０の多重化処理（ＭＵＸ）により得られた情報ビット列Ｘ２は、畳込符号化（Ｓ２４）、パンクチャ処理（Ｓ２６）が施されてビット列Ｒ２になるが、ステップＳ２４の畳込符号化の前に、ＣＲＣビットの付加がなされている（Ｓ２２）。なお、ビット列Ｒ２は、ＨＳ−ＳＣＣＨフレームのＰＡＲＴ２を構成し、ＨＳ−ＰＤＳＣＨを復号するための情報とＣＲＣが含まれている。
【０００８】
ビット列Ｒ１とビット列Ｒ２は、物理チャネルにマッピングされてＨＳ−ＳＣＣＨフレームとして送信される。
【０００９】
図１３は、ＨＳ−ＳＣＣＨとＨＳ−ＰＤＳＣＨのフレーム構造および受信タイミングを示す。図示のように、ＨＳ−ＳＣＣＨフレームは、３つのスロットを有し、１フレーム長が２ｍｓである。先頭のスロット１は、ＰＡＲＴ１であり、スロット２とスロット３は、ＰＡＲＴ２を構成する。また、ＨＳ−ＰＤＳＣＨの１フレームも、３つのスロットを有し、１フレーム長が２ｍｓである。受信のタイミングについては、ＨＳ−ＳＣＣＨフレームの受信が先に開始され、ＨＳ−ＳＣＣＨフレームのスロット２の受信終了時にＨＳ−ＰＤＳＣＨの先頭スロット（スロット１）の受信が開始される。
【００１０】
ＵＥ側では、受信したＨＳ−ＳＣＣＨフレームに対して送信側と逆の処理を行ってＰＡＲＴ１とＰＡＲＴ２に含まれる制御情報を取得し、それを参照してＨＳ−ＰＤＳＣＨフレームの受信と復号を行う。図１３に示すように、ＨＳ−ＰＤＳＣＨフレームの受信開始時には、ＨＳ−ＳＣＣＨフレームのＰＡＲＴ２がまだ全部受信できていないため、ＨＳ−ＰＤＳＣＨの受信処理は、ＰＡＲＴ１の情報に基づく。
【００１１】
前述したように、ＨＳ−ＳＣＣＨのＰＡＲＴ１とＰＡＲＴ２が別々に符号化されているため、ＵＥはＰＡＲＴ２の復号が終了する前に、ＰＡＲＴ１の復号結果を利用してＨＳ−ＰＤＳＣＨの受信処理を行うことができる。
【００１２】
ＰＡＲＴ１の復号に関連する処理は、マスキングの解除、デパンクチャ処理、ビタビ復号が含まれる。マスキングの解除は、該ＵＥ自身のＵＥＩＤから生成されたＸｕｅと、スロット１のビット列との排他的論理和をとることにより行われる。デパンクチャ処理は、特定のビットを埋め戻す処理、すなわちデータレートを調整するために送信側で行われたパンクチャ処理と逆の処理である。
【００１３】
ＨＳＤＰＡでは、ＵＥが４つまでのＨＳ−ＳＣＣＨフレームを同時に受信できると規定されている。ＵＥは、複数のＨＳ−ＳＣＣＨフレームを受信した場合、この複数のＨＳ−ＳＣＣＨフレームから、自局宛のものを検出する必要がある。この検出は、各ＨＳ−ＳＣＣＨフレームのＰＡＲＴ１の情報に基づいて行われるが、ＨＳ−ＳＣＣＨのＰＡＲＴ１には、ＣＲＣが含まれないため、ＵＥは、エラー検出なしにＰＡＲＴ１の情報を取得して上記検出を行うことになる。
【００１４】
上述したように、ＵＥ側が受信したＨＳ−ＳＣＣＨフレームのＰＡＲＴ１は、送信先のＵＥＩＤでマスキングされている。ＵＥが、復号に際して自身のＵＥＩＤでマスキングを解除してからビタビ復号を行う。したがって、自局宛のＨＳ−ＳＣＣＨフレームではなければ、マスキング解除が正常にできないため、ビタビ復号の結果の尤もらしさも低いはずである。
【００１５】
この点を利用して、複数のＨＳ−ＳＣＣＨフレームから自局宛のものを検出する手法が様々提案されている。特許文献３（Ｐ６、３５行目〜３８行目）には、自局宛の制御チャネルの検出にビタビ復号器の出力尤度を用いることが言及されている。
【００１６】
また、特許文献４は、ビタビ復号器により復号時に得られるパスメトリック差を用いて上記検出を行う手法が開示されている。
【００１７】
ビタビ復号器の出力尤度は、通常、復号結果のステートメトリック値（ＳＭ）や、パスメトリック差（ＰＭＤ）が用いられる。
【００１８】
復号結果のステートメトリック値ＳＭは、復号結果と受信したデータとの距離であり、距離が短いほど、復号結果の信頼性が高く、出力尤度が高い。
【００１９】
パスメトリック差ＰＭＤは、トレリス上の同じ時点における、復号結果が導かれたパスすなわち生残りパスのパスメトリックと、捨てパスのパスメトリックとの差であり、出力尤度として通常利用されるのは、最小パスメトリック差（ＭＰＭＤ）、総合パスメトリック差（ＡＰＭＤ）、周波数パスメトリック差（ＦＰＭＤ）がある。
【００２０】
最小パスメトリック差ＭＰＭＤは、生残りパスの各時点でのパスメトリック差の中で尤度が最も低い値である。この値が大きいほど、生残りパスの信頼性が高く、ひいては出力尤度が高い。
【００２１】
総合パスメトリック差ＡＰＭＤは、トレリスの生残りパスの各時点でのパスメトリック差の総和である。これについても、値が大きいほど、生残りパスの信頼性が高く、出力尤度が高い。
【００２２】
周波数パスメトリック差ＦＰＭＤは、生残りパス上において、パスメトリック差が所定の閾値より小さい時点の数である。この数が小さいほど、生残りパスの信頼性が高く、出力尤度が高い。
【特許文献１】特開２００３−２０９８９１号公報
【特許文献２】特開２００５−９４６５０号公報
【特許文献３】特許第３６６８４９２号公報
【特許文献４】特開２００３−３１８７４５号公報
【発明の開示】
【発明が解決しようとする課題】
【００２３】
ところで、出力尤度として利用される上記各種パラメータは、その制御チャネルの受信データの振幅やノイズ量に大きく影響されるものである。ここで最小パスメトリック差ＭＰＭＤを例に説明する。
【００２４】
図１４はチャネル０（ＣＨ０）とチャネル１（ＣＨ１）のＨＳ−ＳＣＣＨフレームのＰＡＲＴ１のデータ（４０ビット）を示している。縦軸はデータ値を示している。分かりやすいように、図中から雑音を省略している。なお、データの２値表現では、正のデータ値は「０」、負のデータ値は「１」として解釈され、絶対値が大きいほど「０らしい」または「１らしい」とされる。
【００２５】
図１４に示すデータに対して復号処理を行うとき、ＣＨ０に対応するＵＥのＵＥＩＤで復号すれば、ＣＨ０は自局宛のものであり、ＣＨ１は他局宛のものである検出結果が正しい。また、ＣＨ１に対応するＵＥのＵＥＩＤで復号すれば、ＣＨ１は自局宛のものであり、ＣＨ０は他局宛のものである検出結果が正しい。
【００２６】
ここで、復号する前に２つのデータに対して、絶対値の最大値が１になるように受信強度を合わせる処理をすると、図１４に示す２つのデータは図１５に示すようになる。ＣＨ０のデータにおけるデータの絶対値の最大値が大きいため、ＣＨ０のデータのうち、最大値と同じ振幅を有するビット以外のビットの値は、ＣＨ１のそれより相対的に小さくなっている。
【００２７】
図１５に示す２つのチャネルのデータに対してＣＨ０のＵＥＩＤで復号した結果、ＣＨ０とＣＨ１について得られた最小パスメトリック差ＭＰＭＤは、それぞれ「１．２４３５」と「１．６６１９」である。
【００２８】
これについて、特許文献２に記載の方法によれば、ＣＨ０についての最小パスメトリック差ＭＰＭＤのほうが大きいため、ＣＨ１のデータは、ＣＨ０のＵＥＩＤを有するＵＥの自局宛のものとして検出されてしまう。これは、ＣＨ０のデータの絶対値の最大値が大きいため、受信強度を合わせることにより振幅が相対的に小さくされた時点でのパスメトリックの変化も小さくなり、差が生じにくいためである。
【００２９】
このように、パスメトリック差などのビタビ復号器の出力尤度は、受信強度に影響され、復号時に得られる各制御チャネルについての出力尤度を比較するのでは、誤検出が生じやすいという問題がある。また、ノイズの振幅が大きいときには、データの振幅が相対的に小さくなるため、同じ問題が生じる。
【課題を解決するための手段】
【００３０】
本発明の１つの態様は、受信装置である。この受信装置は、復号器と、算出部と、判定部を備える。
復号器は、第１チャネルに含まれるデータについてビタビアルゴリズムを実行してトレリス線図上の第１時点に存在する状態のステートメトリックを出力し、第２チャネルに含まれるデータについてビタビアルゴリズムを実行してトレリス線図上の第２時点に存在する状態のステートメトリックを出力する。
算出部は、上記第１および第２時点のそれぞれに存在するトレースバックを開始すべき一の状態のそれぞれのステートメトリックと第１および第２時点のそれぞれに存在する他の状態のそれぞれのステートメトリックの相対関係である第１および第２相対関係を出力する。
判定部は、第１および第２相対関係に基づき、第１および第２チャネルの内の一を選択すべきチャネルであると判定する。
【００３１】
本発明の別の態様も、受信装置である。この受信装置は、復号器と、受信強度取得部と、判定部を備える。
復号器は、第１チャネルに含まれるデータについてビタビアルゴリズムを実行してトレリス線図上の第１時点に存在する状態の内のトレースバックを開始すべき一の状態について第１尤度を算出し、第１チャネルとは異なる第２チャネルに含まれるデータについてビタビアルゴリズムを実行してトレリス線図上の第２時点に存在する状態の内のトレースバックを開始すべき一の状態について第２尤度を算出する。
受信強度取得部は、第１チャネルに含まれるデータのそれぞれの絶対値の部分和または総和と、第２チャネルに含まれるデータのそれぞれの絶対値の部分和または総和を算出する。
判定部は、第１および第２尤度のそれぞれを第１チャネルに含まれるデータの上記部分和または総和および第２チャネルに含まれたデータの上記部分和または総和で正規化し、正規化された第１および第２尤度に基づき第１または第２チャネルの一を選択すべきチャネルであると判定する。
【００３２】
なお、上記態様の装置を方法やシステム、またはコンピュータを当該装置として動作せしめるプログラムとして置き換えて表現したものも、本発明の態様として有効である。
さらに、上記各態様の組合せもまた、本発明の態様として有効である。
【発明の効果】
【００３３】
本発明の技術によれば、受信した複数の制御チャネルから自局宛制御チャネルを精度良く検出できる。
【発明を実施するための最良の形態】
【００３４】
本発明の具体的な実施の形態を説明する前に、まず、本発明にかかる技術の原理を説明する。
本願発明者は、一度に受信した複数の制御チャネルのデータから自局宛のものを検出するのに際して、受信強度乃至ノイズの影響を排除して検出精度を高めることについて鋭意研究模索した結果、下記の２つの手法を確立した。
【００３５】
図１は、本願発明者が確立した第１の手法を示すフローチャートである。まず、受信した複数の制御チャネルのデータに対してそれぞれビタビ復号を行う（Ｓ５０）。ビタビ復号により、制御チャネル毎に、出力尤度が得られる。この出力尤度としては、トレリス線図上の各時点に存在する各状態の内、トレースバックを開始すべき状態についての最小パスメトリック差ＭＰＭＤが示す尤度、総合パスメトリック差ＡＰＭＤが示す尤度、周波数パスメトリック差ＦＰＭＤが示す尤度のいずれか１つまたは複数の組合せを用いることができる。ここで、トレースバックとは、ビタビアルゴリズムを実行し、トレリス線図上の各状態に至るパスの確からしさを示すステートメトリックに基づき得られるトレリス線図上の復号パスを遡り、復号データを取得する処理のことである。トレースバックを開始すべき状態は、例えばデータ送信側の畳み込み符号化器に入力されるデータに対して０のビット列からなるターミネーションビットが挿入されている場合はトレリス線図上の状態０となる。従って出力尤度とは、この場合、トレリス線図の状態０に至る復号パスから求まる最小パスメトリック差ということになる。ステップ５０では、制御チャネルごとにビタビアルゴリズムを実行し、トレースバックを開始すべき状態についての出力尤度を制御チャネルごとに得る。
【００３６】
「最小パスメトリック差ＭＰＭＤが示す尤度」としては、最小パスメトリック差ＭＰＭＤそのもの、「総合パスメトリック差ＡＰＭＤが示す尤度」としては、総合パスメトリック差ＡＰＭＤそのものを使うことができる。「周波数パスメトリック差ＦＰＭＤが示す尤度」としては、時点総数から周波数パスメトリック差ＦＰＭＤを引いた値や周波数パスメトリック差ＦＰＭＤの逆数を用いることができる。また、組合せについては、例えば総和、平均値、重付け平均値をとればよい。
【００３７】
次に、ステップＳ５０において得た制御チャネル毎の出力尤度に対して、当該制御チャネルの受信強度で正規化する（Ｓ５２）。受信強度は例えばこの制御チャネルのデータの絶対値の総和または部分和を用いることができる。正規化については、出力尤度を最小パスメトリック差ＭＰＭＤまたは総合パスメトリック差ＡＰＭＤとする場合には、制御チャネル毎に上記総和または部分和により出力尤度を割って正規化された出力尤度である正規化出力尤度を得、出力尤度を周波数パスメトリック差とする場合には、上記総和または部分和に応じた閾値を制御チャネル毎に求め、該閾値を用いて算出した周波数パスメトリックを正規化出力尤度として取得する。
【００３８】
ステップＳ５２で求めた正規化出力尤度を制御チャネル間で比較し、正規化出力尤度が最も高い制御チャネルを自局宛の制御チャネルとして検出する（Ｓ５４、Ｓ５６）。つまり、受信した制御チャネルごとにトレースバックを開始すべきトレリス上の一状態についての出力尤度を計算し、計算した各制御チャネルの出力尤度を正規化し、各制御チャネルの正規化出力尤度を比較して選択すべきチャネルを判定する。
【００３９】
すなわち、この第１の手法は、自局宛の制御チャネル（以下自局宛チャネルともいう）である可能性の高さを示す指標として、当該制御チャネルのデータの受信強度で正規化した出力尤度を用いる。例えば、図１５に示すＣＨ０とＣＨ１のデータは、データの絶対値の総和がそれぞれ「１０．４９９５」と「１５．２９４４」である。また、前述したように、ＣＨ０のＵＥＩＤで復号した結果、ＣＨ０とＣＨ１について得られた最小パスメトリック差ＭＰＭＤは、それぞれ「１．２４３５」と「１．６６１９」である。最小パスメトリック差ＭＰＭＤを受信強度（ここではデータの絶対値の総和または部分和）で正規化すること、ＣＨ０とＣＨ１の正規化ＭＰＭＤは、それぞれ「０．１１８４」と「０．１０８７」になり、ＣＨ０の正規化ＭＰＭＤが大きい。そのため、ＣＨ０は、自局宛チャネルとして正しく選択することができる。
【００４０】
このように、本第１の手法により、受信強度乃至ノイズの影響を排除することができ、自局宛チャネル検出の精度を向上させることができる。
【００４１】
本願発明者は、上記第１の手法と別のアプローチで、受信強度乃至ノイズに影響されない、自局宛チャネルである可能性の高さを示し得る別の指標をさらに知見して、第２の手法を確立した。
【００４２】
通常、ビタビ復号する際に、打切り長により復号を打切り、トレリス上において、打ち切った時点で最も尤度の高いステートメトリックを持つステートからトレースバックを開始する。そしてトレースバックを行った結果、得られたデータが復号結果になる。尤度の高いステートメトリックを持つステートとは、ビタビアルゴリズムの実行を打ち切ったトレリス線図上の時点に存在する状態（ステート）のうち、最小のステートメトリック値ＳＭを有する状態のことをいう。なお、ステートメトリックはトレリス線図上のある時点の各状態から次の時点の各状態に遷移する確率を示すブランチメトリックの和であるため、ブランチメトリックとして何のパラメータを使用するかにより、ステートメトリックの値の大きさと尤度との関係は変わる。例えば受信データとブランチに対応するデータとのハミング距離をブランチメトリックに用いる場合は、小さいステートメトリックを有するトレリス上の状態ほど尤度が高いことになるが、ブランチメトリックに異なるパラメータを用いる場合は大きいステートメトリックを有するトレリス上の状態ほど尤度が高いことになる場合がある。
【００４３】
ところで、例えば、ＨＳ−ＳＣＣＨフレームのＰＡＲＴ１の復号は、時点数が１６しかない。必要な時点数が少ないこのようなデータの場合には、打切りを行わず、終結まで復号が行われる。一方、畳込符号化に際して、最後に符号器の内部状態をステートＳ０に戻る（ステートＳ０とは、いわゆるトレリス線図上の状態零のことである）。そのため、打切りを行わずに復号する場合には、トレースバックを開始すべき状態は、トレリス線図上の最終時点における状態零であり、この状態零からトレースバックを開始する。すなわち復号結果はステートＳ０から開始するトレースバックによって導かれることになり、復号結果に対応するステートはステートＳ０である。
【００４４】
すなわち、ある制御チャネルが自局宛チャネルであれば、この制御チャネルのデータに対して復号した結果、最終時点の各ステートのステートメトリック値ＳＭのうち、ステートＳ０のステートメトリック値ＳＭ値が最も小さいはずである。以下の説明において、最終時点のステートＳ０のステートメトリック値ＳＭをＳＭ０と表記する。
【００４５】
本願発明者は、このことに着目して、制御チャネルの復号時のトレリス上の最終時点の各ステートのステートメトリック値ＳＭの中で、ステート０についてのステートメトリックＳＭ０が何番目に尤度が高いかを示す順位を、当該制御チャネルが自局宛の制御チャネルである可能性の高さを示す指標として用いる手法を第２の手法として確立した。以下、この順位を可能性順位ＳＭ０ＲＡＮＫという。なお、この可能性順位は、より一般的には、トレースバックを開始すべきトレリス線図上の一状態が存在する時点に含まれる各状態のステートメトリックの中で、このトレースバックを開始すべき一状態のステートメトリックが何番目に尤度が高いかを示す順位のことをいう。以下の実施例では、データ送信側で畳み込み符号化器にターミネーションビットが挿入されている状況を想定し、トレースバックを開始すべき状態はトレリス線図上の状態零であるとする。すなわち本実施の形態における可能性順位は、トレリスの最終時点における状態零のステートメトリックが最終時点の他の状態のステートメトリックと比較して、何番目に尤度が高いかを示すことになる。
【００４６】
図２は、自局宛の制御チャネルと他局宛の制御チャネルのデータについて１０００サンプルを用いて求めた可能性順位ＳＭ０ＲＡＮＫの分布を示す。なお、図２は、ＨＳ−ＳＣＣＨフレームのＰＡＲＴ１を復号した場合の例であり、符号化器の拘束長９（つまり遅延素子数８）に対応して、状態総数が２５６である。そのため、可能性順位ＳＭ０ＲＡＮＫは、１から２５６までの値をとりうる。
【００４７】
図２に示すように、自局宛の制御チャネルについて、可能性順位ＳＭ０ＲＡＮＫは上位に集中する一方、他局宛の制御チャネルについては、可能性順位ＳＭ０ＲＡＮＫは、１から２５６までの範囲全体に亘ってランダムに分布する。
【００４８】
そのため、複数の制御チャネルのデータを復号して可能性順位ＳＭ０ＲＡＮＫを求め、可能性順位ＳＭ０ＲＡＮＫが上位にある制御チャネルを、自局宛の制御チャネルとして検出することができる。図３を参照して具体的に説明する。
【００４９】
図３は、状態総数が４つである場合の例であり、ＣＨ０〜ＣＨ３の４つの制御チャネルについて、最終時点における各ステートのステートメトリック値ＳＭ、および各ステートのステートメトリック値ＳＭが示す尤度の順位示している。
【００５０】
例えば、ＣＨ０の場合、ステートＳ０（ＳＴＡＴＥ０）からステート３（ＳＴＡＴＥ３）の４つのステートについて、最終時点におけるステートメトリック値ＳＭは、それぞれ５、８、７、１０である。ステートメトリック値ＳＭが小さいほど尤度が高いので、各ステートの尤度は、ステートＳ０、ステートＳ２、ステートＳ１、ステートＳ３の順位になり、ステートＳ０の順位である可能性順位ＳＭ０ＲＡＮＫは、「１」となる。
【００５１】
同様に、ＣＨ１、ＣＨ２、ＣＨ３の場合において、可能性順位ＳＭ０ＲＡＮＫは、それぞれ「４」、「４」、「３」となっている。
そのため、これらの制御チャネルのうち、可能性順位ＳＭ０ＲＡＮＫが最も高いＣＨ０は、自局宛チャネルである可能性が最も高い。
【００５２】
図３の例から分かるように、４つのチャネルのうち、ＣＨ２は、ステートＳ０のステートメトリック値ＳＭが最も小さいが、可能性順位ＳＭ０ＲＡＮＫが４であるため、ステートＳ０のステートメトリック値ＳＭが５であるＣＨ０よりも、自局宛制御チャネルである可能性が低い。
【００５３】
図４は、第２の手法を示すフローチャートである。まず、受信した複数の制御チャネルのデータに対してそれぞれビタビ復号を行う（Ｓ６０）。なお、復号に際しては、打切りを行わず、終結まで復号する。
【００５４】
次に、ステップＳ６０の復号により得られる制御チャネル毎の、トレリス上の最終時点における各ステートのステートメトリック値ＳＭに基づいて、これらの複数の制御チャネルの可能性順位ＳＭ０ＲＡＮＫを算出する（Ｓ６２）。
【００５５】
そして、ステップＳ６２において算出された各制御チャネルの可能性順位ＳＭ０ＲＡＮＫを用いて自局宛の制御チャネルを検出する（Ｓ６４）。
【００５６】
この第２の手法によれば、トレリス上の最終時点におけるステートＳ０のステートメトリック値ＳＭ０そのものの代わりに、上述した可能性順位ＳＭ０ＲＡＮＫを、該制御チャネルが自局宛の制御チャネルである可能性の高さを示す指標として用いる。可能性順位ＳＭ０ＲＡＮＫは、同一の制御チャネルについての、最終時点における各ステートのステートメトリック値ＳＭを比較することにより算出しているので、制御チャネルの受信強度乃至ノイズの影響を避けることができる。
【００５７】
第２の手法について、各制御チャネル間で可能性順位ＳＭ０ＲＡＮＫを比較することにより、たとえば可能性順位ＳＭ０ＲＡＮＫが最も高い制御チャネルを検出するように、直接自局宛チャネルを検出してもよいが、可能性順位ＳＭ０ＲＡＮＫに基づいて、自局宛制御チャネルである可能性の高い制御チャネルを候補チャネルとして選出し、候補チャネルから自局宛チャネルを検出するようにすることが好ましい。こうすることにより、可能性順位ＳＭ０ＲＡＮＫにより、受信強度乃至ノイズに影響されずに候補チャネルを絞ることができるので、後の検出の精度を高めることができる。
【００５８】
図５は、この場合の処理手順を示すフローチャートである。可能性順位を算出するステップＳ７２までの処理は、図４のフローチャートが示すものと同様である。ステップＳ７４において、可能性順位が所定の閾値（たとえば２０）以上である制御チャネルを候補チャネルとして選出する。そして、候補チャネルから自局宛制御チャネルを検出する（Ｓ７４）。
【００５９】
なお、自局制御チャネルを検出するステップＳ７４の処理について、従来の手法を用いてもよいが、本発明の第１の手法を用いることが好ましい。こうすることによって、自局宛制御チャネルの検出精度をより高めることができる。
【００６０】
以上の説明を踏まえて、ＨＳＤＰＡに準拠した通信システムに本発明の原理を適用した実施の形態を説明する。
図６は、本発明の実施の形態にかかる通信システム１００を示す。通信システム１００は、ＨＳＤＰＡに準拠したものであり、基地局などの送信装置１００と、ユーザ端末などの受信装置１２０を有する。
【００６１】
送信装置１１０は、送信データを畳込符号する符号化部１１２と、符号化部１１２により得られた符号化データを変調する変調部１１４と、変調部１１４により変調が施されたデータに対してＤ／Ａ変換を行うＤ／Ａ変換部１１６と、Ｄ／Ａ変換部１１６により得られたデジタルデータを出力するためのアンテナ１１８を備える。
【００６２】
受信装置１２０は、送信装置１１０から送信されてきたデジタルデータを受信するアンテナ１２２と、アンテナ１２２により受信したデジタルデータに対してＡ／Ｄ変換を行うＡ／Ｄ変換部１２４と、Ａ／Ｄ変換部１２４によりＡ／Ｄ変換が施されたデータを復調してデータＳを得る復調部１２６と、復調部１２６により得られたデータＳを復号する復号部１３０を有する。
【００６３】
通信システム１００の各構成要素は、受信装置１２０における復号部１３０を除き、通常のＨＳＤＰＡ通信システムのものと同様であるので、ここで詳細な説明を省略する。また、復号部１３０は、複数のＨＳ−ＳＣＣＨフレームを受信した際に、該複数のＨＳ−ＳＣＣＨフレームのＰＡＲＴ１を復号して自局宛チャネルを検出することに関連する処理を担う部分を除き、通常のＨＳＤＰＡ通信システムのものと同様であるので、復号部１３０について、複数のＨＳ−ＳＣＣＨフレームを受信した際に、該複数のＨＳ−ＳＣＣＨから自局宛チャネルを検出することに関連する処理を担う部分についてのみ説明および図示する。
【００６４】
図７は、復号部１３０を示す。復号部１３０は、マスキング解除部１３２と、デパンクチャ処理部１３４と、ビタビ復号器１４０と、受信強度取得部１５０と、可能性順位算出部１６０と、複数のメモリ１７２〜１７８と、判定部１７９を有する。また、判定部１７９は、チャネル検出部１８０と、結果出力部１９０を備える。なお、図７において、様々な処理を行う機能ブロックとして記載される各要素は、ハードウェア的には、ＣＰＵ、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００６５】
マスキング解除部１３２は、復調部１２６からのデータＳ、ここでは複数のＨＳ−ＳＣＣＨフレームのＰＡＲＴ１にそれぞれ対応するものに対してマスキング解除を行う。マスキング解除は、受信装置１２０自身のＵＥＩＤに対して符号化率１／２で畳込符号化して得たＸｕｅと、ＨＳ−ＳＣＣＨ毎のＰＡＲＴ１のデータと排他的論理和をとることによって行われる。なお、自局宛チャネルの検出には、ＰＡＲＴ１のデータのみ用いられるので、以下における復号部１３０の説明には、ＨＳ−ＳＣＣＨフレームのＰＡＲＴ１のデータを単にＨＳ−ＳＣＣＨのデータという。
【００６６】
デパンクチャ処理部１３４は、マスキング解除部１３２により得られた各ＨＳ−ＳＣＣＨのデータに対して、特定のビットを埋め戻すデパンクチャ処理を行って４８ビットのデータを生成してビタビ復号器１４０と受信強度取得部１５０に出力する。
【００６７】
受信強度取得部１５０は、絶対値化器１５２と総和算出器１５４を有し、デパンクチャ処理部１３４からのデータに対して、ＨＳ−ＳＣＣＨ毎に、絶対値化器１５２により各ビットの絶対値をとり、総和算出器１５４によりこれらの絶対値の総和を受信強度ＳＵＭとして求める。
【００６８】
受信強度取得部１５０により求められた各ＨＳ−ＳＣＣＨの受信強度ＳＵＭは、メモリ１７２に出力され、メモリ１７２により記憶される。
【００６９】
ビタビ復号器１４０は、デパンクチャ処理部１３４からの各ＨＳ−ＳＣＣＨのデータに対してビタビ復号を行い、ＨＳ−ＳＣＣＨ毎に、復号結果と、トレリス上の最終時点における各ステートのステートメトリック値ＳＭと、最小パスメトリック差ＭＰＭＤをメモリ１７８、可能性順位算出部１６０、メモリ１７４に夫々出力する。
【００７０】
なお、ビタビ復号器１４０は、ＨＳ−ＳＣＣＨのデータ（ここではＰＡＲＴ１）の復号に際しては、打切りを行わず、終結まで復号を行う。そのため、ビタビ復号器１４０による復号結果は、トレリス上の最終時点におけるステートＳ０（符号器の内部のすべての遅延素子に０が格納される状態）から導かれたものである。
【００７１】
メモリ１７４とメモリ１７８は、ビタビ復号器１４０からの最小パスメトリック差ＭＰＭＤと復号結果をそれぞれ記憶する。
【００７２】
可能性順位算出部１６０は、ビタビ復号器１４０からのステートメトリック値ＳＭを用いて各ＨＳ−ＳＣＣＨの可能性順位ＳＭ０ＲＡＮＫを求めてメモリ１７６に出力する。メモリ１７６は、可能性順位算出部１６０により得られた各ＨＳ−ＳＣＣＨの可能性順位ＳＭ０ＲＡＮＫを記憶する。
【００７３】
可能性順位算出部１６０は、各ＨＳ−ＳＣＣＨについて、トレリス上の最終時点の各ステートのステートメトリック値ＳＭが示す尤度における、ステートＳ０のステートメトリック値ＳＭ０が示す尤度の順位を、該ＨＳ−ＳＣＣＨが自局宛チャネルである可能性の高さを示す可能性順位ＳＭ０ＲＡＮＫとして算出する。ステートメトリック値ＳＭ値が大きいほど尤度が低いので、尤度の順位は、ステートメトリック値ＳＭの順位の逆である。
【００７４】
チャネル検出部１８０は、候補チャネル選出部１８２と、正規化部１８４と、正規化ＭＰＭＤ比較部１８６を有し、メモリ１７２、メモリ１７４、メモリ１７６にそれぞれ格納された各ＨＳ−ＳＣＣＨの受信強度ＳＵＭ、最小パスメトリック差ＭＰＭＤ、可能性順位ＳＭ０ＲＡＮＫを用いて、これらのＨＳ−ＳＣＣＨから受信装置１２０の自局宛チャネルを検出して結果出力部１９０に出力する。チャネル検出部１８０の詳細については後述する。
【００７５】
結果出力部１９０は、チャネル検出部１８０により検出されたＨＳ−ＳＣＣＨが真の自局宛チャネルであるかの最終判定を行う。本実施の形態において、この最終判定は、メモリ１７４に記憶された該ＨＳ−ＳＣＣＨの最小パスメトリック差ＭＰＭＤに基づいて行われる。具体的には、チャネル検出部１８０により検出されたＨＳ−ＳＣＣＨのＭＰＭＤが、所定のＭＰＭＤ閾値以上であれば、該ＨＳ−ＳＣＣＨが受信装置１２０の自局宛チャネルであると判定する。一方、チャネル検出部１８０により検出されたＨＳ−ＳＣＣＨのＭＰＭＤが上記ＭＰＭＤ閾値より小さければ、該ＨＳ−ＳＣＣＨが自局宛チャネルではない、すなわち自局宛チャネルが無いと判定する。
【００７６】
結果出力部１９０は、上記最終判定の結果、チャネル検出部１８０が検出したＨＳ−ＳＣＣＨが自局宛チャネルであると判定した場合にのみ、該ＨＳ−ＳＣＣＨの復号結果をメモリ１７８から読み出して出力する。なお、結果出力部１９０から出力される復号結果は、ＨＳ−ＳＣＣＨの後に受信されるＨＳ−ＰＤＳＣＨの受信に利用される。
【００７７】
チャネル検出部１８０について具体的に説明する。
図８は、チャネル検出部１８０によるチャネル検出処理を示すフローチャートである。自局宛チャネルの検出に当たり、まず、候補チャネル選出部１８２は、メモリ１７６に記憶された各ＨＳ−ＳＣＣＨの可能性順位ＳＭ０ＲＡＮＫと、所定の閾値（たとえば２０）とを比較し、該閾値以上の可能性順位ＳＭ０ＲＡＮＫを有するＨＳ−ＳＣＣＨを候補チャネルとして選出する（Ｓ１３１）。
【００７８】
候補チャネル選出部１８２は、全てのＨＳ−ＳＣＣＨの可能性順位ＳＭ０ＲＡＮＫが閾値以下であり、候補チャネルの数が０であるときに、これらのＨＳ−ＳＣＣＨのうちの、可能性順位ＳＭ０ＲＡＮＫが最も高いＨＳ−ＳＣＣＨを示す情報を結果出力部１９０に出力する（Ｓ１３２：０、Ｓ１３３）。
【００７９】
また、候補チャネル選出部１８２は、候補チャネルとなるＨＳ−ＳＣＣＨが１つしかないときに、該ＨＳ−ＳＣＣＨを示す情報を結果出力部１９０に出力する（Ｓ１３２：１、Ｓ１３４）。
【００８０】
また、候補チャネル選出部１８２は、候補チャネルとなるＨＳ−ＳＣＣＨの数が２つ以上であるときに（Ｓ１３２：２）、それらを示す情報を正規化部１８４に出力する。
【００８１】
正規化部１８４は、候補チャネル選出部１８２から知らせられた各ＨＳ−ＳＣＣＨに対して、最小パスメトリック差ＭＰＭＤと受信強度ＳＵＭ（本実施の形態では受信した各データの絶対値の総和または部分和）をそれぞれメモリ１７４とメモリ１７２から読み出して、受信強度ＳＵＭで最小パスメトリック差ＭＰＭＤを割ることにより、候補チャネルとなる各ＨＳ−ＳＣＣＨの最小パスメトリック差ＭＰＭＤを正規化して正規化ＭＰＭＤを得る（Ｓ１３５）。
【００８２】
そして、正規化ＭＰＭＤ比較部１８６は、候補チャネルとなる各ＨＳ−ＳＣＣＨのうちの、正規化ＭＰＭＤが最も大きいＨＳ−ＳＣＣＨを自局宛チャネルとして検出して、それを示す情報を出力部１９０に出力（Ｓ１３６）。
【００８３】
図９は、復号部１３０による処理を示すフローチャートである。復調部１２６からの各ＨＳ−ＳＣＣＨのデータは、マスキング解除部１３２によりマスキング解除がなされ、さらにデパンクチャ処理部１３４により特定ビットの埋戻しがなされて、ビタビ復号器１４０と受信強度取得部１５０に出力される（Ｓ１００、Ｓ１０２）。
【００８４】
ビタビ復号器１４０は、ビタビ復号を行って、ＨＳ−ＳＣＣＨ毎に、復号結果と、トレリス上の最終時点の各ステートのステートメトリック値ＳＭと、最小パスメトリック差ＭＰＭＤを取得する（Ｓ１１０）。
【００８５】
可能性順位算出部１６０は、ビタビ復号器１４０が得たステートメトリック値ＳＭを用いて、各ＨＳ−ＳＣＣＨの可能性順位ＳＭ０ＲＡＮＫを算出する（Ｓ１１２）。
【００８６】
上記ビタビ復号器１４０の処理に並行して、受信強度取得部１５０は、デパンクチャ処理部１３４からの各ＨＳ−ＳＣＣＨのデータを用いて、ＨＳ−ＳＣＣＨ毎にそのデータの絶対値の総和を受信強度ＳＵＭとして求める（Ｓ１２０）。
【００８７】
そして、チャネル検出部１８０は、自局宛チャネルを検出してそれを示す情報を結果出力部１９０に出力する（Ｓ１３０）。なお、ステップＳ１３０のチャネル検出は、図８に示す処理である。
【００８８】
結果出力部１９０は、チャネル検出部１８０が検出したＨＳ−ＳＣＣＨの最小パスメトリック差ＭＰＭＤと、ＭＰＭＤ閾値とを比較して最終判定を行うと共に、チャネル検出部１８０が検出したＨＳ−ＳＣＣＨが自局宛チャネルと判定した場合、該ＨＳ−ＳＣＣＨの復号結果を出力する（Ｓ１４０）。
【００８９】
図１０は、チャネル検出部１８０による検出の誤り率と、特許文献４に記載された、最小パスメトリック差ＭＰＭＤをそのまま用いて自局宛チャネルを検出する従来の手法の場合の誤り率のシミュレーション結果を示している。横軸は信号・ノイズ比（Ｅｂ／ｄＢ）であり、受信強度が大きいほどまたはノイズが小さいほど値が大きくなる。なお、図中折線Ｌは、チャネル検出部１８０の結果を示し、折線Ｌ０は、従来の手法による結果を示す。
【００９０】
図示のように、Ｅｂ／ｄＢの値の全域に亘り、チャネル検出部１８０による検出の誤り率が、従来の手法の場合の誤り率より小さく、チャネル検出部１８０は、従来の手法より自局宛チャネルを精度良く検出できることが分かる。例えば、０．０１の誤り率について、チャネル検出部１８０は、従来の手法より検出精度を０．６ｄＢ改善できている。
【００９１】
さらに、本実施の形態において、結果出力部１９０により、チャネル検出部１８０が自局宛チャネルとして検出したＨＳ−ＳＣＣＨが真の自局宛チャネルであるか否かの最終判定を行っている。こうすることにより、検出精度を一層高めることができる。
【００９２】
ここで、図１１を参照して、チャネル検出部１８０のように、自局宛チャネルの検出に可能性順位ＳＭ０ＲＡＮＫと正規化ＭＰＭＤの両方を用いることの意義を考察する。
【００９３】
図１１における折線Ｌは、図１０における折線Ｌと同じものであり、チャネル検出部１８０の場合の誤り率を示す。折線Ｌ１は、本発明の原理を説明する際に述べた第１の手法、すなわち正規化出力尤度（ここでは正規化ＭＰＭＤ）のみを用いて、正規化尤度が最も高い（正規化ＭＰＭＤが最も大きい）ＨＳ−ＳＣＣＨを自局宛チャネルとして検出する場合の誤り率を示す。折線Ｌ２は、本発明の原理を説明する際に述べた第２の手法、すなわち可能性順位ＳＭ０ＲＡＮＫのみを用いて、該可能性順位ＳＭ０ＲＡＮＫが最も高いＨＳ−ＳＣＣＨを自局宛チャネルとして検出する場合の誤り率を示す。
【００９４】
図１１から分かるように、Ｅｂ／ｄＢが０以下であるときに、可能性順位ＳＭ０ＲＡＮＫのみを用いる第２の手法は、正規化ＭＰＭＤのみを用いる第１の手法より良い検出精度を得ている。一方、Ｅｂ／ｄＢが０より大きいときに、第１の手法は、第２の手法より良い検出精度を得ている。
【００９５】
すなわち、正規化ＭＰＭＤと可能性順位ＳＭ０ＲＡＮＫのいずれも、自局宛チャネルである可能性の高さを示すことができるが、受信強度やノイズにより異なる性質を呈する。最小パスメトリック差ＭＰＭＤを用いた第１の手法は、受信強度が大きい場合やノイズが少ない場合に適しており、可能性順位ＳＭ０ＲＡＮＫを用いた第２の手法は、逆である。
【００９６】
図１１に示すように、可能性順位ＳＭ０ＲＡＮＫを用いた第２の手法の場合は、ノイズがほとんど無い（Ｅｂ／ｄＢ＝３）場合でも誤り率が０．０１弱である。これは、他局のＨＳ−ＳＣＣＨについてもこの場合には１／２５６の確率で可能性順位ＳＭ０ＲＡＮＫが１位になるうるためである。
【００９７】
そこで、チャネル検出部１８０のように、第２の手法により上位の可能性順位ＳＭ０ＲＡＮＫを有するＨＳ−ＳＣＣＨを候補チャネルとして選出し、第１の手法により、候補チャネルから正規化ＭＰＭＤが最も大きいＨＳ−ＳＣＣＨを自局宛チャネルとして検出するようにすれば、第２の手法の強みを生かし、その欠点を第１の手法により補うことができる。結果的には、図１１の折線Ｌが示すように、Ｅｂ／ｄＢの値の全域に亘って良い検出精度を得る。
【００９８】
以上、実施の形態をもとに本発明を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
例えば、受信装置１２０の結果出力部１９０は、最終判定に際して最小パスメトリック差ＭＰＭＤを用いたが、ビタビ復号器１４０の出力尤度を示しうる他のパラメータ例えば総合パスメトリック差ＡＭＰＤや、復号結果のステートメトリック値ＳＭ（ここではＳＭ０）などを用いてもよい。もちろん、ビタビ復号器１４０の出力尤度を示しうる複数のパラメータの組合せを用いてもよい。
【図面の簡単な説明】
【００９９】
【図１】本発明の第１の手法を示すフフローチャートである。
【図２】本発明の第２の手法が用いる可能性順位を説明するための図である。
【図３】本発明の第２の手法を用いる可能性順位の算出方法を説明するための図である。
【図４】本発明の第２の手法を示すフローチャートである。
【図５】本発明の第２の手法の改良例を示すフローチャートである。
【図６】本発明の実施の形態にかかる通信システムを示す図である。
【図７】図１に示す通信システムの受信装置における復号部を示す図である。
【図８】図７に示す復号部におけるチャネル検出部の処理を示すフローチャートである。
【図９】図７に示す復号部の処理を示すフローチャートである。
【図１０】図７に示す復号部におけるチャネル検出部の検出精度と従来技術による検出精度を比較する図である。
【図１１】本発明の第１の手法と第２の手法の特性を説明するための図である。
【図１２】ＨＳ−ＳＣＣＨフレームの生成過程を示す図である。
【図１３】ＨＳ−ＳＣＣＨフレームとＨＳ−ＰＤＳＣＨフレームの構成および受信タイミングを示す図である。
【図１４】２つのＨＳ−ＳＣＣＨフレームのＰＡＲＴ１のデータの例を示す図である。
【図１５】図１４に示す２つのデータの最大振幅を合わせた後のデータ値を示す図である。
【符号の説明】
【０１００】
１００  通信システム  １１０  送信装置
１１２  符号化部  １１４  変調部
１１６  Ｄ／Ａ変換部  １１８  アンテナ
１２０  受信装置  １２２  アンテナ
１２４  Ａ／Ｄ変換部  １２６  復調部
１３０  復号部  １３２  マスキング解除部
１３４  デパンクチャ処理部  １４０  ビタビ復号器
１５０  受信強度取得部  １５２  絶対値化器
１５４  総和算出器  １６０  可能性順位算出部
１７０  正規化部  １７２〜１７８  メモリ
１７９  判定部    １８０  チャネル検出部
１８２  候補チャネル選出部  １８４  正規化部
１８６  正規化ＭＰＭＤ比較部  １９０  結果出力部
ＰＭＤ  パスメトリック差  ＡＰＭＤ  総合パスメトリック差
ＦＰＭＤ  周波数パスメトリック差  ＭＰＭＤ  最小パスメトリック差
ＳＭ  ステートメトリック値  ＳＭ０ＲＡＮＫ  可能性順位
ＳＵＭ  受信強度
【図１】
0005108548.tif 000002
【図２】
0005108548.tif 000003
【図３】
0005108548.tif 000004
【図４】
0005108548.tif 000005
【図５】
0005108548.tif 000006
【図６】
0005108548.tif 000007
【図７】
0005108548.tif 000008
【図８】
0005108548.tif 000009
【図９】
0005108548.tif 000010
【図１０】
0005108548.tif 000011
【図１１】
0005108548.tif 000012
【図１２】
0005108548.tif 000013
【図１３】
0005108548.tif 000014
【図１４】
0005108548.tif 000015
【図１５】
0005108548.tif 000016